(57)【要約】  【課題】  部分的に補修が可能で、補修にあたり施工を容易にできて補修の工期を大幅に短縮することができ、しかも、耐侯性、耐スパイク性に優れるとともに、緩衝用壁パネル間の継ぎ目が分かり難い、見た目も良い緩衝用壁パネルおよび壁体を提供すること。  【解決手段】  フェンスや壁などの側壁面１の緩衝のために用いられ、持ち運び可能な大きさの緩衝用壁パネル３，１６であって、表面側は緩衝材４で構成され、裏面側には取付対象に着脱自在に取付けるための係止部５ａを備えており、前記緩衝材４は人工芝マット１１を含む。【選択図】  図１
2014223165.tif 000002
【特許請求の範囲】
【請求項１】
フェンスや壁などの側壁面の緩衝のために用いられ、持ち運び可能な大きさの緩衝用壁パネルであって、
表面側は緩衝材で構成され、裏面側には取付対象に着脱自在に取付けるための係止部を備えており、前記緩衝材は人工芝マットを含むことを特徴とする緩衝用壁パネル。
【請求項２】
前記係止部は、面ファスナー、磁石、フックのいずれかである請求項１記載の緩衝用壁パネル。
【請求項３】
請求項１または２に記載の緩衝用壁パネルを外面に着脱自在に取付けてなる壁体。
【発明の詳細な説明】
【技術分野】
【０００１】
本発明は、緩衝用壁パネルおよびそれを用いた壁体に関するものである。
【背景技術】
【０００２】
従来、野球場等で使用される壁面緩衝材として、例えば下記特許文献１に示すように、ポリウレタン、ポリエチレンなどからなる長尺（例えば１００ｍ）のフォーム材をフェンスのコンクリート面に接着するとともに、ゴムシートなどの表層シートでフォーム材の表面を覆った後、フラットバーなど金属板で表層シートの上下をビスでフェンスに固定してなるものがある。
【先行技術文献】
【特許文献】
【０００３】
【特許文献１】特開平１０−３０５１２６号公報
【発明の概要】
【発明が解決しようとする課題】
【０００４】
しかしながら、上記特許文献１に示す壁面緩衝材では、年数が経過すると接着剤の劣化などの原因により例えばフォーム材がコンクリート面から剥がれ、いわゆる腹が出るような現象が起こり、補修を行う場合、フラットバーの取り外しや、長尺のフォーム材を剥がしてその交換など費用と手間がかかるとともに、表層シートを取って見ないと補修範囲が確定しにくいなどの課題があった。
【０００５】
本発明は、部分的に補修が可能で、補修にあたり施工を容易にできて補修の工期を大幅に短縮することができ、しかも、耐侯性、耐スパイク性に優れるとともに、緩衝用壁パネル間の継ぎ目が分かり難い、見た目も良い緩衝用壁パネルおよび壁体を提供するものである。
【課題を解決するための手段】
【０００６】
上記目的を達成するために、本発明の緩衝用壁パネルは、フェンスや壁などの側壁面の緩衝のために用いられ、持ち運び可能な大きさの緩衝用壁パネルであって、
表面側は緩衝材で構成され、裏面側には取付対象に着脱自在に取付けるための係止部を備えており、前記緩衝材は人工芝マットを含むことを特徴としている（請求項１）。本発明において、フェンスや壁などの側壁面とは、例えば野球場やサッカー競技場のフェンス、スケートリンク場、柔道競技場、体育館の側壁など種々の側壁面を意味する。
【０００７】
本発明では、前記係止部は、面ファスナー、磁石、フックのいずれかであるのが好ましい（請求項２）。また、本発明は別の観点から、請求項１または２に記載の緩衝用壁パネルを外面に着脱自在に取付けてなる壁体を提供する（請求項３）。
【発明の効果】
【０００８】
本発明の緩衝用壁パネルは、持ち運び可能な大きさなので、部分的に補修が可能であり、補修にあたり従来のように長尺の緩衝材を剥がす手間を省くことができるとともに、補修の必要の無い箇所まで剥がすムダを省くことができる。
【０００９】
また、本発明では、従来技術のように接着剤を用いて緩衝材の裏面を取付対象に取付けるのではなく、緩衝材を取付対象に着脱自在に取付けることができる係止部を緩衝材の裏面側に備えているので、補修を要する緩衝用壁パネルを容易に目視で確認することができ、その緩衝用壁パネルのみを簡易に取り替えることができて、補修にあたりフラットバーの取り外しや、長尺の緩衝材を剥がす作業、表層シートの交換など費用と手間がかかるとともに表層シートを取って見ないと補修範囲が確定し難いなどの課題を有する従来技術に比べ、施工が容易で、補修の工期が大幅に短縮できる上に、補修のコストを削減できる。しかも、耐侯性、耐スパイク性に優れるとともに、緩衝用壁パネル間の継ぎ目が分かり難い、見た目も良い等の効果がある。
【図面の簡単な説明】
【００１０】
【図１】本発明の第１の実施形態を示す構成説明図である。
【図２】本発明の第１の実施形態を示す斜視図である。
【図３】本発明の第２の実施形態を示す斜視図である。
【発明を実施するための形態】
【００１１】
以下、図面を用いて本発明の実施形態について説明する。なお、本発明はそれによって限定されるものではない。
【００１２】
（第１の実施形態）
図１，２は、緩衝材の裏面側に設けてある係止部を介して、取付対象である例えば野球場のフェンスのコンクリート製側壁面に着脱自在に取付ける本発明の第１の実施形態を示す。図１において、１は、野球場のフェンス２のコンクリート製側壁面（外面）である。緩衝用壁パネル３は、フェンス２の側壁面１の緩衝のために用いられ、持ち運び可能な大きさのもので、少なくとも表面側は緩衝材４で構成され、裏面側にはフェンス２に着脱自在に取付けるための係止部５ａを備えている。緩衝材４は、ポリウレタンまたはポリエチレンまたはエチレン酢酸ビニル共重合体などからなる正面視矩形状のフォーム材（発泡体）１０と、このフォーム材１０の表面に設けられた人工芝１１とよりなる。人工芝１１はマット状に形成されている。前記人工芝（以下、人工芝マットという）１１は、公知の構成のものを採用することができる。この実施形態では、人工芝マット１１として、化学繊維で天然芝を模して形成された多数の密集した束の葉茎（パイル）１３が基布１４に植設され、天然芝フィールドに相当する衝撃吸収機能を発揮するように構成されたロングパイル人工芝を用いている。そして、人工芝マット１１の基布１４の裏面とフォーム材１０の表面とが接着されている。なお、ここでいう「矩形状」は、ほぼ矩形状のものを含み、例えばコーナー部がアール状になっている場合等も含む。
【００１３】
そして、前記係止部５ａは、フェンス２の側壁面１側に設けられた、例えばマジックテープ（登録商標）などの面ファスナー５ｂに緩衝材４が貼り付くように、緩衝材４の裏面４ａに設けられている面ファスナーである。面ファスナーは種々のタイプのものがあるが、この実施形態では、例えばフック状に起毛された側とループ状に密集して起毛された側とを押し付けるとフェンス２の側壁面１に緩衝材４が貼り付くように構成されているものを用いている。さらに、面ファスナー５ａ，５ｂは、緩衝材４がフェンス２の側壁面１に着脱し易いように必要最小限の面積を有すればよい。この実施形態では、図２に示すように、緩衝材４の裏面４ａの外周を一周するように面ファスナー５ａが構成されている。一方、フェンス２の側壁面１に設けられる面ファスナー５ｂも前記面ファスナー５ａに対応する形状に構成されており、例えば接着剤やビス等を用いてフェンス２に固定されている。なお、この実施形態で用いる上述したタイプの面ファスナー以外にも、本発明では種々のタイプのものを適用できる。例えばフックとループ両方が植え込まれており、フック面とループ面との区別がないタイプ（フック面とループ面との取り付け間違いが起きない）や、マッシュルーム状に起毛されていて結合力が強いクリックタイプ、あるいは、鋸歯状のシャークバイト（鮫歯）タイプなども適用可能である。
【００１４】
また、緩衝材４の厚みＡは、競技者の側壁面１への衝突による事故を防止しうる程度に適宜設定される。例えば基布１４を含む人工芝マット１１の厚みは、例えば２〜１０ｃｍ、また、フォーム材（発泡体）１０の厚みは例えば２〜１０ｃｍが好ましい。また、緩衝材４の縦幅はフェンス２の高さに合わせて設定されるのが好ましい。この実施形態では例えば１〜２ｍとしている。また、緩衝材４の横幅は、１〜２ｍ程度としてある。
【００１５】
本発明では、前述した寸法の緩衝材４を用いて形成した持ち運び可能な大きさの複数の緩衝用壁パネル３を、例えば２００ｍ程度の横幅のフェンス２に横一列に隙間無く取付ける構成を採用している。この構成により、部分的に補修が可能であり、補修にあたり上述した単一の長尺フォーム材を剥がす手間を省くことができるとともに、補修の必要の無い箇所まで剥がすムダを省くことができる。
【００１６】
６は壁体で、この実施形態では、取付対象である例えば野球場のフェンス２と、係止部５ａ，５ｂを介してフェンス２に着脱自在に取付けられた緩衝用壁パネル３とからなる。また、７は、野球場のフェンス２の上端２ａから立設されたネットである。
【００１７】
なお、ネット７の外面７ａはフェンス２の側壁面（外面）１から観客席側に後退した状態で立設してあるので、後退した部分のフェンス上端２ａを覆うために図１に二点鎖線（仮想線）で示すように、緩衝材４とは別体に形成された緩衝材部分８を設けてもよい。この場合、緩衝材部分８も面ファスナーなどの係止部を用いてフェンス上端２ａ等に着脱自在に取付けられる。
【００１８】
而して、複数の緩衝用壁パネル３が、フェンス２の側壁面１に対し、隣接した状態で横一列に取付けられる。この場合、隣接する緩衝材４，４同士は左右の側端面同士を当接させた状態で側端面間にできるだけ隙間が発生しないようにフェンス２の側壁面１に取付けられている。なお、全ての緩衝用壁パネル３を同一の大きさに設定する必要はない。そして、この実施形態では、面ファスナー５ａ，５ｂの結合を作業者が小さな外力でもって解除するだけの容易な操作で、複数の緩衝用壁パネル３をフェンス２の側壁面１から容易に取り外すことができる。
【００１９】
この実施形態は上記構成よりなり、緩衝用壁パネル３の表面に人工芝マット１１を使用しているので、以下に示すような特有の利点を有する緩衝用壁パネル３および壁体を提供することができる。（１）緩衝材としてフォーム材（発泡体）のみを用いる場合に比べて耐候性（光、風、雨）に優れている。（２）複数の緩衝用壁パネル３をフェンス２の側壁面（外面）１に隣接した状態で横一列に取付けるにあたり、隣接する緩衝材４，４同士は左右の側端面同士を当接させた状態でフェンス２の側壁面（外面）１に取付けられるが、緩衝用壁パネル３の表面に人工芝マット１１を使用しており、多数の密集した束の葉茎（パイル）１３によって隣接する緩衝材４，４間に継ぎ目があることを分かり難くさせる。すなわち、この実施形態では、隣接する緩衝材４，４同士は左右の側端面近傍に植設されている葉茎（パイル）１３が絡み合いながら緩衝材４，４間の継ぎ目を覆うので、前記継ぎ目を葉茎（パイル）１３で隠すことができて継ぎ目の存在を分かり難くすることができ、見た目を良くすることができる。また、太陽の直射光が人工芝マット１１を照りつけても、その反射光による眩しさを低減させることができるとともに、目にとって良好な緑のフェンスを得ることができるので、健康面にも貢献することができるとともに見た目も柔らかい。（３）耐スパイク性に優れており、葉茎（パイル）１３および基布１４を介してフォーム材（発泡体）１０がスパイクされることから、直接フォーム材（発泡体）の表層シートがスパイクされることに比べて緩衝用壁パネル３を破れ難くできる。（４）人工芝マット１１とフォーム材（発泡体）１０の組み合わせは、衝撃力吸収のための適度なクッション性を有することから、衝突の際の安全性に貢献できる。
【００２０】
（第２の実施形態）
図３は、フォーム材（発泡体）を用いること無く、人工芝マットのみからなる緩衝材で構成された本発明の第２の実施形態を示す。なお、図３において、図１，２に示した符号と同一のものは同一または相当物であり、１６は緩衝用壁パネルである。この緩衝用壁パネル１６は、コンクリート製フェンス２（図１参照）の側壁面１の緩衝のために用いられ、持ち運び可能な大きさのもので、表面側は緩衝材４として機能する人工芝マットで構成され、緩衝材（人工芝マット）４の裏面側にはフェンス（取付対象）（図１参照）２に着脱自在に取付けるための係止部５ａを備えている。人工芝マットは、公知の構成のものを採用することができる。
【００２１】
この実施形態は上記構成よりなり、緩衝材として人工芝マットを使用しているので、以下に示すような特有の利点を有する緩衝用壁パネル１６および壁体を提供することができる。（１）緩衝材としてフォーム材（発泡体）のみを用いる場合に比べて耐候性（光、風、雨）に優れている。（２）複数の緩衝用壁パネル１６をコンクリート製フェンス２の側壁面（外面）１に隣接した状態で横一列に取付けるにあたり、隣接する緩衝材４，４同士は左右の側端面同士を当接させた状態でフェンス２の側壁面（外面）１に取付けられるが、緩衝用壁パネル１６の表面に緩衝材４として人工芝マットを使用しており、多数の密集した束の葉茎（パイル）１３によって隣接する緩衝材４，４間に継ぎ目があることを分かり難くさせる。すなわち、この実施形態では、隣接する緩衝材４，４同士は左右の側端面近傍に植設されている葉茎（パイル）１３が絡み合いながら緩衝材４，４間の継ぎ目を覆うので、前記継ぎ目を葉茎（パイル）１３で隠すことができて継ぎ目の存在を分かり難くすることができ、見た目を良くすることができる。また、太陽の直射光が人工芝マットを照りつけても、その反射光による眩しさを低減させることができるとともに、目にとって良好な緑のフェンスを得ることができるので、健康面にも貢献することができる。（３）耐スパイク性に優れており、葉茎（パイル）１３を介して基布１４がスパイクされることから、フォーム材（発泡体）の表層シートがスパイクされることに比べて緩衝材４を破れ難くできる。（４）緩衝材４としての人工芝マットは衝撃力吸収のための適度なクッション性を有することから、衝突の際の安全性に貢献できる。
【００２２】
（緩衝材の変形例）
なお、本発明で用いる緩衝材は、（１）緩衝材４の裏面４ａ（図１参照）の一部または全面に、緩衝機能を持たない非緩衝部分を有するものも含む。（２）その非緩衝部分を例えば緩衝材４の内部（例えば中間）に介在させてなる緩衝材も含む。（３）上記各実施形態においては、緩衝材４を正面視矩形状としたが、本発明で用いる緩衝材はこの形状に限るものではない。例えば、緩衝材の正面視形状として水平な直線状の上辺と水平な直線状の下辺とを有し、これら上辺と下辺を繋ぐ各縦辺を、これら縦辺同士が隙間無く嵌合可能な形状の鋸歯状に形成してなる形状のものも含む。また、これら縦辺のうち、一方の縦辺に凹部を形成し、他方の縦辺にその凹部に嵌合可能な形状の凸部を形成したものも含む。さらに、本発明で用いる緩衝材の正面視形状として三角形や等脚台形なども適用可能である。
【００２３】
また、上記各実施形態においては、側面視縦長の長方形である緩衝材４を示したが、本発明で用いる緩衝材の側面視形状はこれらに限るものではない。例えば、図１に二点鎖線（仮想線）で示す緩衝材部分８とフォーム材１０を一体に形成してもよい。
【００２４】
さらに、表層シートや耐候性シートなどのシート材で緩衝用壁パネルの表面を被覆してもよい。
【符号の説明】
【００２５】
１                  側壁面
３，１６            緩衝用壁パネル
４                  緩衝材
５ａ                係止部
１１                人工芝マット
【図１】
2014223165.tif 000003
【図２】
2014223165.tif 000004
【図３】
2014223165.tif 000005
【手続補正書】
【提出日】平成26年9月19日(2014.9.19)
【手続補正１】
【補正対象書類名】明細書
【補正対象項目名】全文
【補正方法】変更
【補正の内容】
【発明の詳細な説明】
【技術分野】
【０００１】
本発明は、緩衝用壁パネルおよびそれを用いた壁体に関するものである。
【背景技術】
【０００２】
従来、野球場等で使用される壁面緩衝材として、例えば下記特許文献１に示すように、ポリウレタン、ポリエチレンなどからなる長尺（例えば１００ｍ）のフォーム材をフェンスのコンクリート面に接着するとともに、ゴムシートなどの表層シートでフォーム材の表面を覆った後、フラットバーなど金属板で表層シートの上下をビスでフェンスに固定してなるものがある。
【先行技術文献】
【特許文献】
【０００３】
【特許文献１】特開平１０−３０５１２６号公報
【発明の概要】
【発明が解決しようとする課題】
【０００４】
しかしながら、上記特許文献１に示す壁面緩衝材では、年数が経過すると接着剤の劣化などの原因により例えばフォーム材がコンクリート面から剥がれ、いわゆる腹が出るような現象が起こり、補修を行う場合、フラットバーの取り外しや、長尺のフォーム材を剥がしてその交換など費用と手間がかかるとともに、表層シートを取って見ないと補修範囲が確定しにくいなどの課題があった。
【０００５】
本発明は、部分的に補修が可能で、補修にあたり施工を容易にできて補修の工期を大幅に短縮することができ、しかも、耐侯性、耐スパイク性に優れるとともに、緩衝用壁パネル間の継ぎ目が分かり難い、見た目も良い緩衝用壁パネルおよび壁体を提供するものである。
【課題を解決するための手段】
【０００６】
上記目的を達成するために、本発明の緩衝用壁パネルは、フェンスや壁などの側壁面の緩衝のために用いられ、持ち運び可能な大きさの緩衝用壁パネルであって、
表面側は緩衝材で構成され、裏面側には取付対象に着脱自在に取付けるための係止部を備えており、前記緩衝材は、フォーム材とその表面側に設けられた人工芝マットを含むことを特徴としている（請求項１）。本発明において、フェンスや壁などの側壁面とは、例えば野球場やサッカー競技場のフェンス、スケートリンク場、柔道競技場、体育館の側壁など種々の側壁面を意味する。
【０００７】
本発明では、前記係止部は、前記緩衝材の裏側の周縁部に設けられている面ファスナーであるのが好ましい（請求項２）。しかし、磁石、フックであってもよい。また、本発明は別の観点から、請求項１または２に記載の緩衝用壁パネルを外面に着脱自在に取付けてなる壁体を提供する（請求項３）。
【発明の効果】
【０００８】
本発明の緩衝用壁パネルは、持ち運び可能な大きさなので、部分的に補修が可能であり、補修にあたり従来のように長尺の緩衝材を剥がす手間を省くことができるとともに、補修の必要の無い箇所まで剥がすムダを省くことができる。
【０００９】
また、本発明では、従来技術のように接着剤を用いて緩衝材の裏面を取付対象に取付けるのではなく、例えば緩衝材を取付対象に着脱自在に取付けることができる係止部を緩衝材の裏面側に備えているので、補修を要する緩衝用壁パネルを容易に目視で確認することができ、その緩衝用壁パネルのみを簡易に取り替えることができて、補修にあたりフラットバーの取り外しや、長尺の緩衝材を剥がす作業、表層シートの交換など費用と手間がかかるとともに表層シートを取って見ないと補修範囲が確定し難いなどの課題を有する従来技術に比べ、施工が容易で、補修の工期が大幅に短縮できる上に、補修のコストを削減できる。しかも、耐侯性、耐スパイク性に優れるとともに、緩衝用壁パネル間の継ぎ目が分かり難い、見た目も良い等の効果がある。
【図面の簡単な説明】
【００１０】
【図１】本発明の第１の実施形態を示す構成説明図である。
【図２】本発明の第１の実施形態を示す斜視図である。
【図３】参考例を示す斜視図である。
【発明を実施するための形態】
【００１１】
以下、図面を用いて本発明の実施形態について説明する。なお、本発明はそれによって限定されるものではない。
【００１２】
（第１の実施形態）
図１，２は、緩衝材の裏面側に設けてある係止部を介して、取付対象である例えば野球場のフェンスのコンクリート製側壁面に着脱自在に取付ける本発明の第１の実施形態を示す。図１において、１は、野球場のフェンス２のコンクリート製側壁面（外面）である。緩衝用壁パネル３は、フェンス２の側壁面１の緩衝のために用いられ、持ち運び可能な大きさのもので、少なくとも表面側は緩衝材４で構成され、裏面側にはフェンス２に着脱自在に取付けるための係止部５ａを備えている。緩衝材４は、ポリウレタンまたはポリエチレンまたはエチレン酢酸ビニル共重合体などからなる正面視矩形状のフォーム材（発泡体）１０と、このフォーム材１０の表面に設けられた人工芝１１とよりなる。人工芝１１はマット状に形成されている。前記人工芝（以下、人工芝マットという）１１は、公知の構成のものを採用することができる。この実施形態では、人工芝マット１１として、化学繊維で天然芝を模して形成された多数の密集した束の葉茎（パイル）１３が基布１４に植設され、天然芝フィールドに相当する衝撃吸収機能を発揮するように構成されたロングパイル人工芝を用いている。そして、人工芝マット１１の基布１４の裏面とフォーム材１０の表面とが接着されている。なお、ここでいう「矩形状」は、ほぼ矩形状のものを含み、例えばコーナー部がアール状になっている場合等も含む。
【００１３】
そして、前記係止部５ａは、フェンス２の側壁面１側に設けられた、例えばマジックテープ（登録商標）などの面ファスナー５ｂに緩衝材４が貼り付くように、緩衝材４の裏面４ａに設けられている面ファスナーである。面ファスナーは種々のタイプのものがあるが、この実施形態では、例えばフック状に起毛された側とループ状に密集して起毛された側とを押し付けるとフェンス２の側壁面１に緩衝材４が貼り付くように構成されているものを用いている。さらに、面ファスナー５ａ，５ｂは、緩衝材４がフェンス２の側壁面１に着脱し易いように必要最小限の面積を有すればよい。この実施形態では、図２に示すように、緩衝材４の裏面４ａの外周を一周するように面ファスナー５ａが構成されている。一方、フェンス２の側壁面１に設けられる面ファスナー５ｂも前記面ファスナー５ａに対応する形状に構成されており、例えば接着剤やビス等を用いてフェンス２に固定されている。なお、この実施形態で用いる上述したタイプの面ファスナー以外にも、本発明では種々のタイプのものを適用できる。例えばフックとループ両方が植え込まれており、フック面とループ面との区別がないタイプ（フック面とループ面との取り付け間違いが起きない）や、マッシュルーム状に起毛されていて結合力が強いクリックタイプ、あるいは、鋸歯状のシャークバイト（鮫歯）タイプなども適用可能である。
【００１４】
また、緩衝材４の厚みＡは、競技者の側壁面１への衝突による事故を防止しうる程度に適宜設定される。例えば基布１４を含む人工芝マット１１の厚みは、例えば２〜１０ｃｍ、また、フォーム材（発泡体）１０の厚みは例えば２〜１０ｃｍが好ましい。また、緩衝材４の縦幅はフェンス２の高さに合わせて設定されるのが好ましい。この実施形態では例えば１〜２ｍとしている。また、緩衝材４の横幅は、１〜２ｍ程度としてある。
【００１５】
本発明では、前述した寸法の緩衝材４を用いて形成した持ち運び可能な大きさの複数の緩衝用壁パネル３を、例えば２００ｍ程度の横幅のフェンス２に横一列に隙間無く取付ける構成を採用している。この構成により、部分的に補修が可能であり、補修にあたり上述した単一の長尺フォーム材を剥がす手間を省くことができるとともに、補修の必要の無い箇所まで剥がすムダを省くことができる。
【００１６】
６は壁体で、この実施形態では、取付対象である例えば野球場のフェンス２と、係止部５ａ，５ｂを介してフェンス２に着脱自在に取付けられた緩衝用壁パネル３とからなる。また、７は、野球場のフェンス２の上端２ａから立設されたネットである。
【００１７】
なお、ネット７の外面７ａはフェンス２の側壁面（外面）１から観客席側に後退した状態で立設してあるので、後退した部分のフェンス上端２ａを覆うために図１に二点鎖線（仮想線）で示すように、緩衝材４とは別体に形成された緩衝材部分８を設けてもよい。この場合、緩衝材部分８も面ファスナーなどの係止部を用いてフェンス上端２ａ等に着脱自在に取付けられる。
【００１８】
而して、複数の緩衝用壁パネル３が、フェンス２の側壁面１に対し、隣接した状態で横一列に取付けられる。この場合、隣接する緩衝材４，４同士は左右の側端面同士を当接させた状態で側端面間にできるだけ隙間が発生しないようにフェンス２の側壁面１に取付けられている。なお、全ての緩衝用壁パネル３を同一の大きさに設定する必要はない。そして、この実施形態では、面ファスナー５ａ，５ｂの結合を作業者が小さな外力でもって解除するだけの容易な操作で、複数の緩衝用壁パネル３をフェンス２の側壁面１から容易に取り外すことができる。
【００１９】
この実施形態は上記構成よりなり、緩衝用壁パネル３の表面に人工芝マット１１を使用しているので、以下に示すような特有の利点を有する緩衝用壁パネル３および壁体を提供することができる。（１）緩衝材としてフォーム材（発泡体）のみを用いる場合に比べて耐候性（光、風、雨）に優れている。（２）複数の緩衝用壁パネル３をフェンス２の側壁面（外面）１に隣接した状態で横一列に取付けるにあたり、隣接する緩衝材４，４同士は左右の側端面同士を当接させた状態でフェンス２の側壁面（外面）１に取付けられるが、緩衝用壁パネル３の表面に人工芝マット１１を使用しており、多数の密集した束の葉茎（パイル）１３によって隣接する緩衝材４，４間に継ぎ目があることを分かり難くさせる。すなわち、この実施形態では、隣接する緩衝材４，４同士は左右の側端面近傍に植設されている葉茎（パイル）１３が絡み合いながら緩衝材４，４間の継ぎ目を覆うので、前記継ぎ目を葉茎（パイル）１３で隠すことができて継ぎ目の存在を分かり難くすることができ、見た目を良くすることができる。また、太陽の直射光が人工芝マット１１を照りつけても、その反射光による眩しさを低減させることができるとともに、目にとって良好な緑のフェンスを得ることができるので、健康面にも貢献することができるとともに見た目も柔らかい。（３）耐スパイク性に優れており、葉茎（パイル）１３および基布１４を介してフォーム材（発泡体）１０がスパイクされることから、直接フォーム材（発泡体）の表層シートがスパイクされることに比べて緩衝用壁パネル３を破れ難くできる。（４）人工芝マット１１とフォーム材（発泡体）１０の組み合わせは、衝撃力吸収のための適度なクッション性を有することから、衝突の際の安全性に貢献できる。
【００２０】
（参考例）
図３は、フォーム材（発泡体）を用いること無く、人工芝マットのみからなる緩衝材で構成された参考例を示す。なお、図３において、図１，２に示した符号と同一のものは同一または相当物であり、１６は緩衝用壁パネルである。この緩衝用壁パネル１６は、コンクリート製フェンス２（図１参照）の側壁面１の緩衝のために用いられ、持ち運び可能な大きさのもので、表面側は緩衝材４として機能する人工芝マットで構成され、緩衝材（人工芝マット）４の裏面側にはフェンス（取付対象）（図１参照）２に着脱自在に取付けるための係止部５ａを備えている。人工芝マットは、公知の構成のものを採用することができる。
【００２１】
この参考例は上記構成よりなり、緩衝材として人工芝マットを使用しているので、以下に示すような特有の利点を有する緩衝用壁パネル１６および壁体を提供することができる。（１）緩衝材としてフォーム材（発泡体）のみを用いる場合に比べて耐候性（光、風、雨）に優れている。（２）複数の緩衝用壁パネル１６をコンクリート製フェンス２の側壁面（外面）１に隣接した状態で横一列に取付けるにあたり、隣接する緩衝材４，４同士は左右の側端面同士を当接させた状態でフェンス２の側壁面（外面）１に取付けられるが、緩衝用壁パネル１６の表面に緩衝材４として人工芝マットを使用しており、多数の密集した束の葉茎（パイル）１３によって隣接する緩衝材４，４間に継ぎ目があることを分かり難くさせる。すなわち、この実施形態では、隣接する緩衝材４，４同士は左右の側端面近傍に植設されている葉茎（パイル）１３が絡み合いながら緩衝材４，４間の継ぎ目を覆うので、前記継ぎ目を葉茎（パイル）１３で隠すことができて継ぎ目の存在を分かり難くすることができ、見た目を良くすることができる。また、太陽の直射光が人工芝マットを照りつけても、その反射光による眩しさを低減させることができるとともに、目にとって良好な緑のフェンスを得ることができるので、健康面にも貢献することができる。（３）耐スパイク性に優れており、葉茎（パイル）１３を介して基布１４がスパイクされることから、フォーム材（発泡体）の表層シートがスパイクされることに比べて緩衝材４を破れ難くできる。（４）緩衝材４としての人工芝マットは衝撃力吸収のための適度なクッション性を有することから、衝突の際の安全性に貢献できる。
【００２２】
（緩衝材の変形例）
なお、本発明で用いる緩衝材は、（１）緩衝材４の裏面４ａ（図１参照）の一部または全面に、緩衝機能を持たない非緩衝部分を有するものも含む。（２）その非緩衝部分を例えば緩衝材４の内部（例えば中間）に介在させてなる緩衝材も含む。（３）上記各実施形態においては、緩衝材４を正面視矩形状としたが、本発明で用いる緩衝材はこの形状に限るものではない。例えば、緩衝材の正面視形状として水平な直線状の上辺と水平な直線状の下辺とを有し、これら上辺と下辺を繋ぐ各縦辺を、これら縦辺同士が隙間無く嵌合可能な形状の鋸歯状に形成してなる形状のものも含む。また、これら縦辺のうち、一方の縦辺に凹部を形成し、他方の縦辺にその凹部に嵌合可能な形状の凸部を形成したものも含む。さらに、本発明で用いる緩衝材の正面視形状として三角形や等脚台形なども適用可能である。
【００２３】
また、上記実施形態においては、側面視縦長の長方形である緩衝材４を示したが、本発明で用いる緩衝材の側面視形状はこれらに限るものではない。例えば、図１に二点鎖線（仮想線）で示す緩衝材部分８とフォーム材１０を一体に形成してもよい。
【００２４】
さらに、表層シートや耐候性シートなどのシート材で緩衝用壁パネルの表面を被覆してもよい。
【符号の説明】
【００２５】
１                  側壁面
３                  緩衝用壁パネル
４                  緩衝材
５ａ                係止部
１１                人工芝マット
【手続補正２】
【補正対象書類名】特許請求の範囲
【補正対象項目名】全文
【補正方法】変更
【補正の内容】
【特許請求の範囲】
【請求項１】
フェンスや壁などの側壁面の緩衝のために用いられ、持ち運び可能な大きさの緩衝用壁パネルであって、
表面側は緩衝材で構成され、裏面側には取付対象に着脱自在に取付けるための係止部を備えており、前記緩衝材は、フォーム材とその表面側に設けられた人工芝マットを含むことを特徴とする緩衝用壁パネル。
【請求項２】
前記係止部は、前記緩衝材の裏側の周縁部に設けられている面ファスナーである請求項１に記載の緩衝用壁パネル。
【請求項３】
請求項１または２に記載の緩衝用壁パネルを外面に着脱自在に取付けてなる壁体。